(57)【特許請求の範囲】
【請求項１】
複数の呼出先から訪問先を選択して呼び出すための操作部、及び通話のためのマイク／スピーカを備えたインターホン子機と、呼び出しに応答するためのマイク／スピーカを備えた複数のインターホン親機とを有し、ＩＰプロトコル等の汎用データプロトコルにより相互に通信を実施するインターホン装置であって、
前記インターホン子機は、前記操作部をタッチパネルで構成した呼出子機と、マイク／スピーカを備えた通話子機とに分離して形成されると共に、前記呼出子機、前記通話子機、前記インターホン親機がＨＵＢを介して通信線によりそれぞれ接続されて相互間で通信を実施し、
前記インターホン親機は、前記操作部の操作を受けて前記呼出子機から出力された呼出信号を基に前記通話子機と通話路を形成するための通話操作部を有することを特徴とするインターホン装置。
【請求項２】
前記通話子機は、訪問者の接近を検知する人感センサと、前記人感センサが検知動作してから所定時間が経過しても前記呼出子機から呼出信号の送信がなかったら、前記通話子機のスピーカから呼出操作を促すための音声ガイダンスを報音させる音声ガイダンス制御部とを有することを特徴とする請求項１記載のインターホン装置。
【請求項３】
前記タッチパネルは画像を表示可能なディスプレイ上に設けられ、
前記通話子機は、訪問者の接近を検知する人感センサと、前記人感センサが検知動作してから所定時間が経過しても前記呼出子機から呼出信号の送信がなかったら、前記呼出子機に滞留信号を送信する滞留通知制御部を有し、
前記呼出子機は前記滞留信号を受けて前記ディスプレイの表示を点滅等変化させる表示制御部を有することを特徴とする請求項１記載のインターホン装置。
【請求項４】
前記インターホン親機は、応答する人物を撮像するための親機カメラと、前記親機カメラの撮像映像を前記呼出子機に送信する映像制御部とを有し、
前記呼出子機の前記表示制御部は、前記ディスプレイに前記親機カメラの撮像映像を表示することを特徴とする請求項３記載のインターホン装置。
【請求項５】
前記インターホン親機は、訪問者に対して呼出状況を通知するための文字情報から成るガイダンス画像を記憶する画像記憶部と、前記呼出信号を受けて前記呼出子機にガイダンス画像を送信するガイダンス制御部とを有し、
前記呼出子機の前記表示制御部は、受信した前記ガイダンス画像を前記ディスプレイに表示することを特徴とする請求項３又は４記載のインターホン装置。
【請求項６】
前記通話子機は、訪問者の接近を検知する人感センサと、前記人感センサが感知動作してから一定時間が経過しても前記呼出子機から呼出信号の送信がなかったら、予め指定したインターホン親機へ呼出信号を送信する自動呼出制御部とを有することを特徴とする請求項１乃至５の何れかに記載のインターホン装置。
【請求項７】
複数の呼出先から訪問先を選択して呼び出すための操作部、及び通話のためのマイク／スピーカを備えたインターホン子機と、呼び出しに応答するためのマイク／スピーカを備えた複数のインターホン親機とを有し、ＩＰプロトコル等の汎用データプロトコルにより相互に通信を実施するインターホン装置であって、
前記インターホン子機は、前記操作部を備えた呼出子機とマイク／スピーカを備えた通話子機とに分離して形成されると共に、
前記通話子機と前記複数のインターホン親機とはＨＵＢを介した通信線により接続される一方、前記呼出子機が訪問者が携行する携帯型呼出子機であって、前記ＨＵＢに前記携帯型呼出子機と無線ＬＡＮ通信を実施する無線通信部を備えて前記通話子機及びインターホン親機の双方と通信を実施でき、
前記インターホン親機は、前記操作部の操作により前記呼出子機から出力される呼出信号を基に前記通話子機と通話路を形成するための通話操作部を有することを特徴とするインターホン装置。
【請求項８】
前記携帯型呼出子機の前記操作部は、画像を表示可能なディスプレイ上に設けたタッチパネルで構成され、前記ディスプレイに呼出先一覧を表示する表示制御部を有することを特徴とする請求項７記載のインターホン装置。
【請求項９】
前記操作部の操作により前記呼出子機から出力される呼出信号は、前記通話子機を経由して前記インターホン親機に送信される一方、前記通話子機は前記携帯型呼出子機のＩＰアドレスを登録したアドレス記憶部を有し、
登録された携帯型呼出子機の呼出信号のみ受け付ける呼出監視部を有することを特徴とする請求項８記載のインターホン装置。
【請求項１０】
前記通話子機は、前記携帯型呼出子機から出力される無線ＬＡＮ信号の強度を検知する携帯機器検知部を有し、
前記呼出監視部は、前記携帯機器検知部が所定のレベル以上の前記無線ＬＡＮ信号を検知したら、前記登録された携帯型呼出子機の呼出信号を受け付けることを特徴とする請求項９記載のインターホン装置。
【請求項１１】
前記通話子機は、前記携帯機器検知部が前記携帯型呼出子機の存在を認識してから一定時間が経過しても前記携帯型呼出子機から呼出信号がなかったら、予め指定されたインターホン親機を呼び出す自動呼出制御部を有することを特徴とする請求項１０記載のインターホン装置。
【発明の詳細な説明】
【技術分野】
【０００１】
本発明は、訪問者が居住者等を呼び出して通話するインターホン装置に関し、特に呼出先が複数設定されており、何れかを選択して呼び出しするインターホン装置に関する。
【背景技術】
【０００２】
複数の呼出先を備えて訪問者が何れかを選択して呼び出しできる従来のインターホン装置として、非特許文献１に示すようなインターホン装置がある。これは、インターホン子機に呼出先の異なる複数の呼出ボタンが設けられ、訪問者は訪問先に関連付けられた呼出ボタンを押下することで選択したインターホン親機に呼び出しが掛かり、通話を行うことができる。
【先行技術文献】
【非特許文献】
【０００３】
【非特許文献１】アイホン株式会社発行 「２０１０−２０１２総合カタログ」ｐ．４７６−４７７
【発明の概要】
【発明が解決しようとする課題】
【０００４】
上記非特許文献１のインターホン装置は、１台のインターホン子機で複数の呼出先を選択して呼び出しできるため、複数の会社が入居しているようなテナントビルや、部署別に呼び出しできるオフィスビルに好ましい構成となっていた。
しかしながら、呼出先の選択数に柔軟性がなく、レイアウト変更によって新たな呼出先が発生した場合にはインターホン装置全体を変更して対応するしか方法がなく、コスト高なものとなっていた。
【０００５】
そこで、本発明はこのような問題点に鑑み、呼出先の数の変更に対して柔軟に対応でき、更に柔軟に対応できる構成であっても比較的低コストで提供できるインターホン装置を提供することを目的としている。
【課題を解決するための手段】
【０００６】
上記課題を解決する為に、請求項１の発明は、複数の呼出先から訪問先を選択して呼び出すための操作部、及び通話のためのマイク／スピーカを備えたインターホン子機と、呼び出しに応答するためのマイク／スピーカを備えた複数のインターホン親機とを有し、ＩＰプロトコル等の汎用データプロトコルにより相互に通信を実施するインターホン装置であって、インターホン子機は、操作部をタッチパネルで構成した呼出子機と、マイク／スピーカを備えた通話子機とに分離して形成されると共に、呼出子機、通話子機、インターホン親機がＨＵＢを介して通信線によりそれぞれ接続されて相互間で通信を実施し、インターホン親機は、操作部の操作を受けて呼出子機から出力された呼出信号を基に通話子機と通話路を形成するための通話操作部を有することを特徴とする。
この構成によれば、呼出先を選択するための呼出子機と、通話するための通話子機とを別体としたことにより、呼出先の名称やインターホン親機の数等が変更された場合に、インターホン子機の変更は呼出子機のみで済み、通話子機を変更する必要がなく比較的低コストで実施できる。そして、インターホン親機の数の変更に対してはタッチパネルのボタン表示等を変更すること対応でき、インターホン装置の設置環境の変化に柔軟に対応できる。
【０００７】
請求項２の発明は、請求項１に記載の構成において、通話子機は、訪問者の接近を検知する人感センサと、人感センサが検知動作してから所定時間が経過しても呼出子機から呼出信号の送信がなかったら、通話子機のスピーカから呼出操作を促すための音声ガイダンスを報音させる音声ガイダンス制御部とを有することを特徴とする。
この構成によれば、訪問者が呼出子機の操作方法に戸惑っているような場合は、音声案内が行われる。そのため、訪問先の呼び出しに役立つ。
【０００８】
請求項３の発明は、請求項１に記載の構成において、タッチパネルは画像を表示可能なディスプレイ上に設けられ、通話子機は、訪問者の接近を検知する人感センサと、人感センサが検知動作してから所定時間が経過しても呼出子機から呼出信号の送信がなかったら、呼出子機に滞留信号を送信する滞留通知制御部を有し、呼出子機は滞留信号を受けてディスプレイの表示を点滅等変化させる表示制御部を有することを特徴とする。
この構成によれば、訪問者が呼出子機の操作がわからない場合でも、呼出子機のディスプレイの表示が点滅等するため、呼出操作が促され呼び出しを行うことができる。
【０００９】
請求項４の発明は、請求項３に記載の構成において、インターホン親機は、応答する人物を撮像するための親機カメラと、親機カメラの撮像映像を呼出子機に送信する映像制御部とを有し、呼出子機の表示制御部は、ディスプレイに親機カメラの撮像映像を表示することを特徴とする。
この構成によれば、呼出先のインターホン親機から応答する人物の映像がインターホン子機に表示されるため、訪問者は通話し易いし安心できる。また、操作部を利用して映像を表示するので、別途表示手段を設ける必要がない。
【００１０】
請求項５の発明は、請求項３又は４に記載の構成において、インターホン親機は、訪問者に対して呼出状況を通知するための文字情報から成るガイダンス画像を記憶する画像記憶部と、呼出信号を受けて呼出子機にガイダンス画像を送信するガイダンス制御部とを有し、呼出子機の表示制御部は、受信したガイダンス画像をディスプレイに表示することを特徴とする。
この構成によれば、呼出操作後にガイダンス画像が呼出子機に表示されるので、訪問者は呼出状況を画像で認識でき、呼出状況を把握でき安心できる。また、操作部を利用して映像を表示するので、別途表示手段を設ける必要がない。
【００１１】
請求項６の発明は、請求項１乃至５の何れかに記載の構成において、通話子機は、訪問者の接近を検知する人感センサと、人感センサが感知動作してから一定時間が経過しても呼出子機から呼出信号の送信がなかったら、予め指定したインターホン親機へ呼出信号を送信する自動呼出制御部とを有することを特徴とする。
この構成によれば、故障等で呼出子機が動作しない場合でも、特定のインターホン親機が呼出動作する。よって、呼出信号が出力されないことで訪問者が居住者不在と判断してしまうことがない。
【００１２】
請求項７の発明は、複数の呼出先から訪問先を選択して呼び出すための操作部、及び通話のためのマイク／スピーカを備えたインターホン子機と、呼び出しに応答するためのマイク／スピーカを備えた複数のインターホン親機とを有し、ＩＰプロトコル等の汎用データプロトコルにより相互に通信を実施するインターホン装置であって、インターホン子機は、操作部を備えた呼出子機とマイク／スピーカを備えた通話子機とに分離して形成されると共に、通話子機と複数のインターホン親機とはＨＵＢを介した通信線により接続される一方、呼出子機が訪問者が携行する携帯型呼出子機であって、ＨＵＢに携帯型呼出子機と無線ＬＡＮ通信を実施する無線通信部を備えて通話子機及びインターホン親機の双方と通信を実施でき、インターホン親機は、操作部の操作により呼出子機から出力される呼出信号を基に通話子機と通話路を形成するための通話操作部を有することを特徴とする。
この構成によれば、呼出先を選択するための呼出子機と、通話するための通話子機とを別体としたことにより、呼出先の名称やインターホン親機の数等が変更された場合に、インターホン子機の変更は呼出子機のみで済み、通話子機を変更する必要がない。よって、装置の変更を比較的低コストで実施できる。
また、呼出子機として訪問者が携行している携帯電話やタブレット端末を使用することが可能であり、この場合は玄関に設置するのは通話子機のみで済み、住戸側に設置する機器を安価に構成できる。
【００１３】
請求項８の発明は、請求項７に記載の構成において、携帯型呼出子機の操作部は、画像を表示可能なディスプレイ上に設けたタッチパネルで構成され、ディスプレイに呼出先一覧を表示する表示制御部を有することを特徴とする。
この構成によれば、インターホン親機の数の変更に対してはタッチパネルのボタン表示等を変更することで対応でき、インターホン装置の設置環境の変化に柔軟に対応できる。
【００１４】
請求項９の発明は、請求項８に記載の構成において、操作部の操作により呼出子機から出力される呼出信号は、通話子機を経由してインターホン親機に送信される一方、通話子機は携帯型呼出子機のＩＰアドレスを登録したアドレス記憶部を有し、登録された携帯型呼出子機の呼出信号のみ受け付ける呼出監視部を有することを特徴とする。
この構成によれば、登録されていない携帯型呼出子機からの呼出信号は受け付けないため、携帯型呼出子機が汎用の携帯型端末であっても、悪意を持った訪問者からの通話路の確立要求を拒否できる。
【００１５】
請求項１０の発明は、請求項９に記載の構成において、通話子機は、携帯型呼出子機から出力される無線ＬＡＮ信号の強度を検知する携帯機器検知部を有し、呼出監視部は、携帯機器検知部が所定のレベル以上の無線ＬＡＮ信号を検知したら、登録された携帯型呼出子機の呼出信号を受け付けることを特徴とする。
この構成によれば、無線ＬＡＮ信号の強度が所定のレベル以下であれば、即ち携帯型呼出子機が通話子機の近くに無ければ、登録された機器から呼出信号が送信されても受け付けないので、近隣の住戸で登録された携帯型呼出子機が操作されても、自身が呼び出されていると認識することがなく、誤動作を防止できる。
【００１６】
請求項１１の発明は、請求項１０に記載の構成において、通話子機は、携帯機器検知部が携帯型呼出子機の存在を認識してから一定時間が経過しても携帯型呼出子機から呼出信号がなかったら、予め指定されたインターホン親機を呼び出す自動呼出制御部を有することを特徴とする。
この構成によれば、故障等で携帯型呼出子機の呼び出し機能が動作しない場合でも、特定のインターホン親機が呼出動作する。よって、呼出信号が出力されないことで訪問者が居住者不在と判断してしまうことがない。
【発明の効果】
【００１７】
本発明によれば、呼出先を選択するための呼出子機と、通話するための通話子機とを別体としたことにより、呼出先の名称やインターホン親機の数等が変更された場合に、インターホン子機の変更は呼出子機のみで済み、通話子機を変更する必要がない。そして、インターホン親機の数の変更に対してはタッチパネルのボタン表示等を変更することで対応でき、インターホン装置の設置環境の変化に柔軟に対応できる。
更に、呼出子機を訪問者が携行する携帯型呼出子機とすれば、玄関に設置するのは通話子機のみで済み、住戸側に設置する機器を安価に構成できる。
【図面の簡単な説明】
【００１８】
【図１】本発明に係るインターホン装置の第１の形態を示す構成図である。
【図２】図１の各機器をブロック図で示した図である。
【図３】図１のインターホン装置の呼出時の動作の流れを示すフローチャートである。
【図４】インターホン装置の第２の形態を示す構成図である。
【図５】図４の各機器を示すブロック図である。
【図６】図４のインターホン装置の呼出時の動作の流れを示すフローチャートである。
【発明を実施するための形態】
【００１９】
以下、本発明を具体化した実施の形態を、図面を参照して詳細に説明する。図１は本発明に係るインターホン装置の第１の形態を示す構成図であり、１は玄関等の訪問者が来訪する場所に設置されて訪問先と通話するための通話子機、２は通話子機１の近傍に設置されて訪問先を呼び出すための呼出子機、４は室内に設置されて呼出に応答するためのインターホン親機（以下、単に「親機」と称する）であり、それぞれはＨＵＢ５を介して通信線で接続されている。通話子機１、呼出子機２、親機４はそれぞれ固有のＩＰアドレスを有し、ＩＰプロトコルによるデータ信号、デジタル音声信号、デジタル映像信号の送受を実施する。
そして、通話子機１と呼出子機２とで訪問者が訪問先を呼び出して通話するインターホン子機（以下、単に「子機」と称する）３を構成している。
【００２０】
図２は図１に示す機器を回路ブロック図で示している。この図２に示すように、通話子機１は、訪問者を撮像するための子機カメラ１１、呼出先と通話するためのマイク１３及びスピーカ１２、訪問者の接近を感知する人感センサ１４、接続機器のＩＰアドレス等を記憶する記憶部１５、通話子機１の各部を制御する通話子機ＣＰＵ１６等を備えている。尚、通話子機１には呼出ボタンが無く、居住者を呼び出すための機能を備えていない。
【００２１】
呼出子機２は、呼出先の一覧が複数の呼出ボタン（図示せず）により表示される子機ディスプレイ２１、表示された呼出ボタンを操作するために子機ディスプレイ２１上に設けた操作部としてのタッチパネル２２、接続機器のＩＰアドレス等を記憶する記憶部２３、呼出子機２の各部を制御する呼出子機ＣＰＵ２４等を備えている。
【００２２】
親機４は、呼び出しに応答するためのマイク４１及びスピーカ４２、子機カメラ１１の撮像映像を表示する親機ディスプレイ４３、呼出信号を受けて通話子機１と通話路を形成する通話操作部４４と、訪問者に対して呼出状況を説明するための文字情報から成るガイダンス画像を記憶する画像記憶部４５、応答者を撮像するための親機カメラ４６、親機４の各部を制御する親機ＣＰＵ４７等を備えている。
【００２３】
このように構成されたインターホン装置の動作、特に呼出動作を次に説明する。図３は訪問者が接近し、呼出操作を受けたインターホン装置の動作の流れを示すフローチャートであり、機器別に動作を分けて示している。このフローに基づいて以下説明する。
玄関に訪問者が来ると、通話子機１の人感センサ１４が訪問者を感知する（Ｓ１）。この感知を受けて、通話子機ＣＰＵ１６は記憶部１５に記憶されている呼出子機２のＩＰアドレスを参照して、呼出子機２に対して起動信号を送信する（Ｓ２）。
【００２４】
ＨＵＢ５を介して起動信号を受信した呼出子機２は、呼出子機ＣＰＵ２４の制御により、例えば会社のインターホン装置である場合は、「受付」「総務部」等の複数の呼出先（呼出ボタン）が子機ディスプレイ２１に表示される（Ｓ３）。
【００２５】
子機ディスプレイ２１の表示内容を確認した訪問者により、訪問先がタッチパネル２２で選択される（Ｓ４でＹＥＳ）と、呼出子機ＣＰＵ２４は選択された訪問先の親機４にＩＤを附加した呼出信号を生成し、通話子機１に送信する（Ｓ５）。通話子機１への送信は、通話子機１のＩＰアドレスを送信先に設定することで実施される。ＩＰアドレスは記憶部２３に予め登録されている。
尚、各種信号の送信は、同様にＩＰアドレスを送信先に設定して行われるため、以下この記載を省略する。
【００２６】
呼出子機２から呼出信号を受信（Ｓ６）した通話子機１は、通話子機ＣＰＵ１６が呼出子機２から送信された信号であるとＩＰアドレス情報から確認（Ｓ８）すると、附加されている親機ＩＤ情報から親機４のＩＰアドレス情報を記憶部１５から読み取り、このＩＰアドレスを送信先に設定して呼出信号を送信する。こうして呼出信号は呼出先の親機４へ送信される。また、呼出子機２からの信号であることを認識した通話子機ＣＰＵ１６は、スピーカ１２から呼出確認音を鳴動させ、マイク１３及び子機カメラ１１を能動とし（Ｓ９）、集音した訪問者の音声及び子機カメラ１１の映像信号を呼出先の親機４へ送信する（Ｓ１０）。
【００２７】
尚、親機４への呼出信号の送信は、呼出子機２から直接送信しても良い。この場合、通話子機１への送信の場合と同様に、親機４のＩＰアドレスを送信先に設定することで容易に実施できる。
【００２８】
呼出信号を受信した親機４は、親機ＣＰＵ４７の制御によりスピーカ４２から呼出音が鳴動するともに、通話子機１から送信された子機カメラ１１の映像信号が親機ディスプレイ４３に表示される。また、訪問者の音声が送信された場合はスピーカ４２から報音される（Ｓ１１）。
さらに親機ＣＰＵ４７は、画像記憶部４５からガイダンス画像を読み出して呼出子機２に送信する（Ｓ１２）。画像信号を受信した呼出子機ＣＰＵ２４は、子機ディスプレイ２１に受信したガイダンス画像を表示する（Ｓ１３）。こうして、子機ディスプレイ１２には、例えばオフィスビルの子機３である場合は「ただいま、総務部を呼び出しています」の文字情報から成るガイダンス画像が表示される。また、例えば呼出先の親機４から他の親機４に転送される場合は、「しばらくお待ちください」等のガイダンス画像が表示される。この表示により、応答待ちの訪問者に対して呼出状況を通知することができる。
このように、呼出操作後にガイダンス画像が子機３に表示されるので、訪問者は呼出状況を認識でき、安心できる。
【００２９】
その後、呼出音と来訪者映像により来訪者を確認した親機４近くの人物が、親機４の通話操作部４４を応答操作すると、親機ＣＰＵ４７が能動状態にあるスピーカ４２に加えてマイク４１を能動とし、通話路形成信号を通話子機１に送信する。更に親機カメラ４６を起動し、その撮像映像を呼出子機２に送信する。
通話路形成信号を受信した通話子機ＣＰＵ１６は、スピーカ１２を能動として親機４との通話路を形成し、通話を可能とする。また、映像信号を受信した呼出子機ＣＰＵ２４は子機ディスプレイ２１に親機カメラ４６の撮像映像を表示させる。
このように、呼出先の親機４から応答する人物の映像が呼出子機２に表示されるため、訪問者は通話し易いし安心できる。また、タッチパネル２２を利用して映像を表示するので、別途表示手段を設ける必要がない。
【００３０】
一方、通話子機ＣＰＵ１６は人感センサ１４が訪問者を感知した時点で図示しないタイマを起動し、例えば１０秒等の所定時間のカウントをスタートする。そして、呼出子機２が操作されずにこの所定時間が経過したら（Ｓ７でＹＥＳ）、スピーカ１２から呼出操作を促すアナウンス、例えば「呼出先をタッチしてください」等の音声を報音させる（Ｓ１４）。このアナウンス音声は記憶部１５に予め記憶されている。更に、通話子機ＣＰＵ１６は呼出子機２に滞留信号を送信する（Ｓ１５）。滞留信号を受信した呼出子機ＣＰＵ２４は、画面を点滅させるガイダンス動作を行ない呼出操作を促す（Ｓ１６）。更にその後も、呼出信号の送信が無く所定時間が経過したならば、通話子機ＣＰＵ１６は予め指定した親機４へ呼出信号を自動送信する。こうして、親機４から応答があれば通話が可能となる。
【００３１】
尚、滞留信号に基づいて所定のガイダンス画像を表示させても良く、呼出子機２の記憶部２３に記憶させることで、滞留信号を受けて呼出子機ＣＰＵ２４が読み出して子機ディスプレイ２１に表示させることができる。
【００３２】
このように、通話するための通話子機１と呼出先を選択するための呼出子機２とを別体としたことにより、呼出先の名称や親機４の数等が変更された場合に、子機３の変更は呼出子機２のみで済み、通話子機１を変更する必要がなく比較的低コストで実施できる。そして、親機４の数の変更に対しては子機ディスプレイ２１の呼出ボタン表示等を変更することで対応でき、インターホン装置の設置環境の変化に柔軟に対応できる。
また、訪問者が呼出子機２の操作方法に戸惑っているような場合は、音声案内やガイダンス動作が行われるため、訪問先の呼び出しに役立つし、故障等で呼出子機２から呼出信号が出力されない場合は、特定のインターホン親機４が呼出動作するため、呼出信号が出力されないことで訪問者が居住者不在と判断してしまうようなことがない。
【００３３】
図４は本発明に係るインターホン装置の第２の形態を示す構成図であり、以下第２の形態を図４を参照して説明する。ここでは呼出子機２が訪問者が携行する携帯型呼出子機６となっている点が上記形態とは大きく異なっている。
この携帯型呼出子機６としては、ＩＰアドレス、ＭＡＣアドレス、或いは携帯電話番号等の識別用ＩＤを有している携帯電話やタブレット端末等が使用できる。また、ＨＵＢ５は無線ＬＡＮ通信を実施する通信アンテナ５ａを有し、携帯電話網やインターネット等の外部ネットワークＮに接続さている。そのため、携帯型呼出子機６が携帯電話である場合は、外部ネットワークＮを介して本インターホン装置と通信が可能であるし、無線ＬＡＮを使用して通信することも可能となっている。
【００３４】
図５は図４の各機器を回路ブロックで示している。以下、この図５に基づいて相違点を中心に説明する。通話子機１は、子機カメラ１１、マイク１３、スピーカ１２、記憶部１５に加えて、携帯型呼出子機６から出力される無線ＬＡＮ信号の強度を検知する携帯機器検知部１７を備え、携帯型呼出子機６が通話子機１の近くにあることを検知する機能を備えている。また、記憶部１５は携帯型呼出子機６のＩＰアドレスあるいはＭＡＣアドレス等の識別用ＩＤを記憶している。
尚、携帯型呼出子機６の存在は、無線信号ではなく通話子機１のマイク１３が集音可能な超音波信号やＤＴＭＦ信号を携帯型呼出子機６に出力させ、それを通話子機１に検知させることで認識させても良い。
【００３５】
携帯型呼出子機６は、複数の呼出ボタンにより呼出先の一覧を表示する子機ディスプレイ６１、呼出ボタンを操作するために子機ディスプレイ６１上に設けた操作部としてのタッチパネル６２、インターホン子機として使用する際に通信する機器のＩＰアドレス等を記憶する記憶部６３、携帯型呼出子機６全体を制御する携帯型子機ＣＰＵ６４、無線ＬＡＮ通信を実施したり外部ネットワークＮに無線接続するための無線通信部６５等を備えている。尚、子機ディスプレイ６１に表示される呼出ボタンの画像データは、接続機器のＩＰアドレス等の登録の際に合わせてインストールされる。
【００３６】
このように構成されたインターホン装置の動作、特に呼出動作を次に説明する。図６は携帯型呼出子機６を携行する訪問者が呼出操作を行った際のインターホン装置の動作の流れを示すフローチャートであり、機器別に動作を分けて示している。このフローに基づいて以下説明する。
通話子機１が備えられた玄関において、携帯型呼出子機６が起動（Ｓ１０１）され、引き続き所定の表示操作を受けたら呼出先（呼出ボタン）が表示（Ｓ１０２）される。この表示により、携帯型子機ＣＰＵ６４が、無線ＬＡＮにより予め登録されている訪問先の通話子機１のＩＰアドレスに対して携帯型呼出子機６のＩＤ情報を含む起動信号を送信する。
【００３７】
この起動信号をＨＵＢ５を介して受信（Ｓ１０５）した通話子機１は、通話子機ＣＰＵ１６が携帯機器検知部１７を能動として呼出信号の受信を待つ。
起動した携帯型呼出子機６は、所定の操作で複数の呼出ボタンから成る呼出先一覧が表示され、いずれかが押下されて呼出操作される（Ｓ１０３でＹＥＳ）と、呼出先親機４のＩＤ情報を含む呼出信号がＨＵＢ５を介して通話子機１に送信される（Ｓ１０４）。呼出信号は、無線ＬＡＮ通信で実施され、通話子機１のＩＰアドレスに対して送信される。
【００３８】
この呼出信号を受信（Ｓ１０６でＹＥＳ）した通話子機ＣＰＵ１６は、記憶部１５に呼出信号の発信元である携帯型呼出子機６のＩＰアドレスあるいはＭＡＣアドレス等の識別用ＩＤが起動信号発信元のＩＤと一致（Ｓ１０７でＹＥＳ）していれば、携帯型呼出子機６が通話子機１の近傍にあるか判断する（Ｓ１０８）。携帯機器検知部１７が呼出信号等の無線ＬＡＮ信号を受信し、その強度が所定のレベル以上であると判断したら、呼出操作した携帯型呼出子機６が近傍にあると判断し（Ｓ１０８でＹＥＳ）、上記第１の形態と同様に、附加されている親機ＩＤ情報から親機４のＩＰアドレス情報を記憶部１５から読み取り、このＩＰアドレスを送信先に設定して呼出信号を送信する。こうして呼出信号は呼出先の親機４へ送信される。
【００３９】
尚、携帯機器検知部１７により携帯型呼出子機６の位置判定は、無線ＬＡＮ信号の強度に代えて携帯型呼出子機６にＤＴＭＦや周波数が１５〜２０ＫＨｚの超音波信号等、有線信号以外の信号を出力させて、その受信強度により判定させても良い。
【００４０】
また、呼出子機２からの信号であることを認識した通話子機ＣＰＵ１６は、スピーカ１２から呼出確認音を鳴動させ、マイク１３及び子機カメラ１１を能動とし（Ｓ１０９）、集音した訪問者の音声及び子機カメラ１１の映像信号を呼出先の親機４へ送信する（Ｓ１１０）。
【００４１】
呼出信号を受信した親機４は、親機ＣＰＵ４７がスピーカ４２から呼出音を鳴動させるともに、通話子機１から送信された子機カメラ１１の映像信号を親機ディスプレイ４３に表示させる。また、訪問者の音声が送信された場合はスピーカ４２から報音させる（Ｓ１１１）。更に親機ＣＰＵ４７は、画像記憶部４５からガイダンス画像を読み出して携帯型呼出子機６に送信する（Ｓ１１２）。画像信号を受信した携帯型子機ＣＰＵ６４は、子機ディスプレイ６１に受信したガイダンス画像を表示する（Ｓ１１３）。
【００４２】
こうして、子機ディスプレイ６１には、例えばオフィスビルの子機３である場合は「ただいま、総務部を呼び出しています」の文字情報から成るガイダンス画像が表示される。また、例えば呼出先の親機４から他の親機４に転送される場合は、「しばらくお待ちください」等のガイダンス画像が表示される。この表示により、応答待ちの訪問者に対して呼出状況を通知することができる。
【００４３】
その後、呼出音と表示されている来訪者映像により来訪者を確認した親機４近くの人物が、親機４の通話操作部４４を応答操作すると、能動状態にあるスピーカ４２に加えてマイク４１が能動となり、親機ＣＰＵ４７が通話路形成信号を通話子機１に送信する。同時に親機カメラ４６が撮像を開始し、その撮像映像が呼出子機２に送信される。
通話路形成信号を受信した通話子機ＣＰＵ１６は、スピーカ１２を能動として親機４との通話路を形成し、通話を可能とする。また、映像信号を受信した携帯型呼出子機ＣＰＵ６４は、子機ディスプレイ６１に親機カメラ４６の撮像映像を表示する。
【００４４】
尚、図４の実施形態では、無線信号を受信することで携帯型呼出子機６の存在を検知しているが、上記図１の形態と同様に人感センサ１４を設けて訪問者の接近を感知しても良い。
【００４５】
このように、呼出子機２を携帯型呼出子機６とするため、訪問者が携行している携帯電話やタブレット端末を呼出子機２として使用することが可能であり、この場合は玄関に設置するのは通話子機のみで済み、住戸側に設置する機器を安価に構成できる。また、親機４の数の変更に対してはタッチパネル６２のボタン表示等を変更することで対応でき、インターホン装置の設置環境の変化に柔軟に対応できる。
また、登録されていない携帯型呼出子機６からの呼出信号は受け付けないため、携帯型呼出子機６が汎用の携帯型端末であっても、悪意を持った訪問者からの通話路の確立要求を拒否できる。
更に、無線ＬＡＮ信号の強度が所定のレベル以下であれば、即ち携帯型呼出子機６が通話子機１の近くに無ければ、登録された機器から呼出信号が送信されても受け付けないので、近隣の住戸で登録された携帯型呼出子機６が操作されても、自身が呼び出されていると認識することがなく、誤動作を防止できる。
また、故障等で携帯型呼出子機６の呼び出し機能が動作しない場合は、特定の親機４が呼び出される。よって、呼出信号が出力されないことで訪問者が居住者不在と判断してしまうことがない。
【００４６】
尚、上記実施形態は何れも映像の伝送を双方向で実施しているが、回線容量に余裕がない場合には音声通信のみを双方向とし、映像信号については通話子機１から親機４への片方向としても良い。
【符号の説明】
【００４７】
１・・通話子機、２・・呼出子機、３・・インターホン子機、４・・インターホン親機、５・・ＨＵＢ、６・・携帯型呼出子機、１１・・子機カメラ、１４・・人感センサ、１５・・記憶部（アドレス記憶部）、１６・・通話子機ＣＰＵ（音声ガイダンス制御部、画像ガイダンス制御部、滞留通知制御部、自動呼出制御部、呼出監視部）、１７・・携帯端末検知部、２１・・子機ディスプレイ（ディスプレイ）、２２・・タッチパネル（操作部）、２３・・記憶部、２４・・呼出子機ＣＰＵ（表示制御部）、４３・・親機ディスプレイ、４４・・通話操作部、４５・・画像記憶部、４６・・親機カメラ、４７・・親機ＣＰＵ（映像制御部、ガイダンス制御部）、６１・・子機ディスプレイ、６２・・タッチパネル（操作部）、６３  ・・記憶部、６４・・携帯型子機ＣＰＵ。
【図１】
0005717588.tif 000002
【図２】
0005717588.tif 000003
【図３】
0005717588.tif 000004
【図４】
0005717588.tif 000005
【図５】
0005717588.tif 000006
【図６】
0005717588.tif 000007